(57)【要約】【課題】  原稿の位置ずれを防止することができる原稿ホルダを提供する。【解決手段】  画像読取装置２に装着されて使用される原稿ホルダ１６であって、ホルダベース部６１と、ホルダベース部６１の一面側に設けられ、複数の原稿１８を互いに重ならないように平面状に配置させるポケット６２を有する。また、原稿ホルダ１６は、位置ずれを検出するための基準マーク６４を有する。また、原稿押え装置は、原稿ホルダ１６を係止する係止部１１７、１１８を有する。また、原稿押え装置は、原稿ホルダ１６を原稿読取面側の第１領域から第１領域とは反対側の第２領域に移動させる回転部材２１８を有する。【選択図】          図９
2005031465.tif 000002
【特許請求の範囲】
【請求項１】
画像読取装置に装着されて使用される原稿ホルダであって、
ホルダベース部と、
前記ホルダベース部の一面側に設けられ、複数の原稿を互いに重ならないように平面状に配置させる原稿保持部とを有することを特徴とする原稿ホルダ。
【請求項２】
前記原稿ホルダは、位置ずれを検出するための基準マークを有することを特徴とする請求項１記載の原稿ホルダ。
【請求項３】
原稿を読み取る原稿読取面と、前記原稿読取面に載置された原稿を押える開閉自在な原稿押え手段と、前記原稿押え手段の前記原稿読取面側に取り付けられる原稿ホルダとを備えた画像読取装置であって、
前記原稿ホルダは、請求項１又は請求項２記載の原稿ホルダであることを特徴とする画像読取装置。
【請求項４】
前記原稿押え手段は、前記原稿ホルダを係止する係止部を有することを特徴とする請求項３記載の画像読取装置。
【請求項５】
前記原稿押え手段は、前記原稿ホルダを前記原稿読取面側の第１領域から該第１領域とは反対側の第２領域に移動させる部材を有することを特徴とする請求項３記載の画像読取装置。
【請求項６】
原稿を読み取る原稿読取面と、前記原稿読取面に載置された原稿を押える開閉自在な原稿押え手段とを備えた画像読取装置であって、
前記原稿押え手段は、原稿を保持する原稿保持領域と、前記原稿保持領域に静電気を発生させる静電気発生手段とを有することを特徴とする画像読取装置。
【請求項７】
原稿を読み取る原稿読取面と、前記原稿読取面に載置された原稿を押える開閉自在な原稿押え手段とを備えた画像読取装置であって、
前記画像読取装置は、原稿を保持する原稿保持領域と、前記原稿保持領域に設けられた吸気孔と、前記吸気孔から空気吸引する空気吸引手段とを有することを特徴とする画像読取装置。
【請求項８】
前記原稿押え手段は、前記原稿読取面に対して９０°〜１８０°の範囲の所定位置まで回転することを特徴とする請求項３から請求項７のいずれか一項に記載の画像読取装置。
【請求項９】
画像読取装置と、前記画像読取装置によって読み取った読み取り画像データに基づいて原稿毎に所定の画像処理を行う画像処理装置とを備え、
前記画像読取装置は、請求項３から請求項８のいずれか一項に記載の画像読取装置であることを特徴とする装置。
【請求項１０】
前記装置は更に、前記画像処理装置による処理後の画像データに基づいて所定の用紙上に画像を形成する画像形成手段を有することを特徴とする請求項９記載の装置。
【請求項１１】
原稿読取面に載置された原稿を押える開閉自在な原稿押え装置において、
原稿を保持する原稿保持領域と、前記原稿保持領域に静電気を発生させる静電気発生手段とを有することを特徴とする原稿押え装置。
【請求項１２】
原稿読取面に載置された原稿を押える開閉自在な原稿押え装置において、
原稿を保持する原稿保持領域と、前記原稿保持領域に設けられた吸気孔と、前記吸気孔から空気吸引する空気吸引手段とを有することを特徴とする原稿押え装置。
【発明の詳細な説明】
【技術分野】
【０００１】
本発明は、原稿ホルダ、画像読取装置、装置及び原稿押え装置に関する。
【背景技術】
【０００２】
従来、複写機、プリンタ、スキャナー、ファックス機能を一台に集約したマルチファンクション画像システムが提案されている。このマルチファンクション画像システムでは、さまざまなサービスのターミナルとなる。ディジタルカラーマルチファンクションでは、その高画質とディジタルの効用より、従来、プリントショップ（ＤＰＥ）や、簡易印刷への適用が行われている。また、メンテナンス性の高さより、今後、その市場への進出する。
【０００３】
複写機時代の普通紙限定のコピー・プリントから、多種多様の用紙、メディアに印字され、印刷用コート上、また写真用光沢紙などにより、印刷及び写真に、匹敵する画質となってきている。上記画像システムにおいて、写真等の原稿を読み取る場合、原稿に傷がついてしまうという問題があった。例えば、複数毎の写真プリントのような表面が弱く、傷つき易い原稿を、複数枚、コピー用の自動原稿送り装置を用いて、読み取り部でスキャニングする場合である。
【０００４】
特許文献１記載の写真原稿用ホルダは、このような問題点を解決するものであって、光拡散シートと透明樹脂シートにより、写真原稿を挟み、写真原稿の傷に起因して生じる読み取り画像の黒い傷を防止するものである。
【０００５】
また、読取画像に対する画像処理について以下のような技術が提案されている。特許文献２記載の画像形成装置は、拡張ボックスに接続することにより、各種の画像編集等を行うことができるというものである。
【０００６】
また、特許文献３記載の画像処理装置は、複数のサイズのうちの一のサイズを一括して印刷部に印刷させた後、他のサイズの画像を一括して印刷させるように各画像データの印刷順序を変更するというものである。
【０００７】
【特許文献１】特開平８−３２７４５号公報
【特許文献２】特開２０００−３３３０２６号公報
【特許文献３】特開２００２−１３７４８４号公報
【発明の開示】
【発明が解決しようとする課題】
【０００８】
しかしながら、上記画像システムにおいて、画像読取を行う際に、写真や名刺などのように小さい原稿を複数枚同時にプラテンガラス上に並べて置く場合、以下のような問題点がある。図１は、プラテンガラス上に原稿を並べる際の理想的な状態を示す図である。図２は、プラテンガラス上に原稿を並べる際の実際の状態を示す図である。図１に示すように、理想的には、原稿１８が規則正しく配列されることが好ましいが、図２に示すように、実際には、原稿１８の向きがまちまちになってしまい、原稿の位置がずれてしまう。また、この状態で、原稿押え装置を閉じると、さらに、原稿の位置ずれが生じてしまうという問題がある。また、原稿１８の表面に傷がつかないようにするためには、一枚一枚、プラテンガラス１４上に並べなければならず、手間と時間がかかってしまうという問題があった。
【０００９】
また、特許文献１記載の写真原稿用ホルダでは、透明樹脂シートにより原稿を挟んで原稿が傷つくのを防止するようにしているが、透明シートにより原稿を挟む際に原稿の位置がずれてしまうという問題がある。
【００１０】
また、特許文献２記載の画像形成装置は、一般的なディジタルカラーマルチファンクションによる機能を提案するものであり、原稿の位置ずれを防止することはできない。
【００１１】
また、特許文献３記載の画像処理装置では、印刷時の印刷順序を変えるというものであり、原稿の位置ずれを防止することはできない。
【００１２】
そこで、本発明は、上記問題点に鑑みてなされたもので、原稿の位置ずれを防止することができる原稿ホルダ、画像読取装置、装置及び原稿押え装置を提供することを目的とする。
【課題を解決するための手段】
【００１３】
上記課題を解決するために、請求項１記載の原稿ホルダは、画像読取装置に装着されて使用される原稿ホルダであって、ホルダベース部と、前記ホルダベース部の一面側に設けられ、複数の原稿を互いに重ならないように平面状に配置させる原稿保持部とを有することを特徴とする。
【００１４】
請求項１記載の発明によれば、原稿保持部により複数の原稿を平面状に配置させるようにしたので、複数の原稿を一度に読み取る場合であっても、原稿の位置ずれを防止することができる。また、原稿を傷つけることもない。
【００１５】
また、本発明は、請求項２に記載のように、請求項１記載の原稿ホルダにおいて、前記原稿ホルダは、位置ずれを検出するための基準マークを有することを特徴とする。請求項２記載の発明によれば、位置ずれを検出するための基準マークに基づき位置ずれを検出することができる。
【００１６】
また、請求項３記載の画像読取装置は、原稿を読み取る原稿読取面と、前記原稿読取面に載置された原稿を押える開閉自在な原稿押え手段と、前記原稿押え手段の前記原稿読取面側に取り付けられる原稿ホルダとを備えた画像読取装置であって、前記原稿ホルダは、請求項１又は請求項２記載の原稿ホルダであることを特徴とする。請求項３記載の発明によれば、複数の原稿を一度に読み取る場合であっても、原稿を傷つけることなく、原稿の位置ずれを防止することができる画像読取装置を提供できる。
【００１７】
また、本発明は、請求項４に記載のように、請求項３記載の画像読取装置において、前記原稿押え手段は、前記原稿ホルダを係止する係止部を有することを特徴とする。請求項４記載の発明によれば、原稿ホルダを係止部に係止させたり、外したりすることにより、原稿ホルダを原稿押え手段から着脱することができる。
【００１８】
また、本発明は、請求項５に記載のように、請求項３記載の画像読取装置において、前記原稿押え手段は、前記原稿ホルダを前記原稿読取面側の第１領域から該第１領域とは反対側の第２領域に移動させる部材を有することを特徴とする。請求項５記載の発明によれば、原稿ホルダを使用しない場合、原稿ホルダを原稿読取面側の第１領域から第１領域とは反対側の第２領域に移動させることにより、原稿押え装置の上に格納することができる。
【００１９】
また、請求項６記載の画像読取装置は、原稿を読み取る原稿読取面と、前記原稿読取面に載置された原稿を押える開閉自在な原稿押え手段とを備えた画像読取装置であって、前記原稿押え手段は、原稿を保持する原稿保持領域と、前記原稿保持領域に静電気を発生させる静電気発生手段とを有することを特徴とする。
【００２０】
請求項６記載の発明によれば、静電気発生手段により原稿保持領域に静電気を発生させるようにしたので、原稿の位置ずれを調整しながら、原稿を原稿保持領域に保持させることができる。これにより、原稿の位置ずれを防止することができる。
【００２１】
また、請求項７記載の画像読取装置は、原稿を読み取る原稿読取面と、前記原稿読取面に載置された原稿を押える開閉自在な原稿押え手段とを備えた画像読取装置であって、前記画像読取装置は、原稿を保持する原稿保持領域と、前記原稿保持領域に設けられた吸気孔と、前記吸気孔から空気吸引する空気吸引手段とを有することを特徴とする。
【００２２】
請求項７記載の発明によれば、原稿読取面側に形成された原稿保持領域に設けられた吸気孔から空気吸引手段により空気を吸引するようにしたので、原稿の位置ずれを調整しながら、原稿を原稿保持領域に保持させることができる。これにより、原稿の位置ずれを防止することができる。
【００２３】
また、本発明は、請求項８に記載のように、請求項３から請求項７のいずれか一項に記載の画像読取装置において、前記原稿押え手段は、前記原稿読取面に対して９０°〜１８０°の範囲の所定位置まで回転することを特徴とする。請求項８記載の発明によれば、原稿読取面に対して９０°〜１８０°の範囲の所定位置まで回転するので、作業しやすい状態で原稿を装着することができる。
【００２４】
また、請求項９記載の装置は、画像読取装置と、前記画像読取装置によって読み取った読み取り画像データに基づいて原稿毎に所定の画像処理を行う画像処理装置とを備え、前記画像読取装置は、請求項３から請求項８のいずれか一項に記載の画像読取装置であることを特徴とする。請求項９記載の発明によれば、画像読取装置によって読み取った原稿の位置ずれのない読み取り画像データに基づいて原稿毎に所定の画像処理を行うことができる。
【００２５】
また、請求項１０記載の装置は、請求項９記載の装置において、更に、前記画像処理装置による処理後の画像データに基づいて所定の用紙上に画像を形成する画像形成手段を有することを特徴とする。請求項１０記載の発明によれば、原稿の位置ずれのない画像データに基づいて所定の用紙上に画像を形成することができる。
【００２６】
また、請求項１１記載の原稿押え装置は、原稿読取面に載置された原稿を押える開閉自在な原稿押え装置において、原稿を保持する原稿保持領域と、前記原稿保持領域に静電気を発生させる静電気発生手段とを有することを特徴とする。請求項１１記載の発明によれば、静電気発生手段により原稿保持領域に静電気を発生させるようにしたので、原稿の位置ずれを調整しながら、原稿を原稿保持領域に保持させることができる。これにより、原稿の位置ずれを防止することができる。
【００２７】
また、請求項１２記載の原稿押え装置は、原稿読取面に載置された原稿を押える開閉自在な原稿押え装置において、原稿を保持する原稿保持領域と、前記原稿保持領域に設けられた吸気孔と、前記吸気孔から空気吸引する空気吸引手段とを有することを特徴とする。
【００２８】
請求項１２記載の発明によれば、原稿保持領域に設けられた吸気孔から空気吸引手段により空気を吸引するようにしたので、原稿の位置ずれを調整しながら、原稿を原稿保持領域に保持させることができる。これにより、原稿の位置ずれを防止することができる。
【発明の効果】
【００２９】
以上説明したように、本発明によれば、原稿の位置ずれを防止することができる原稿ホルダ、画像読取装置、装置及び原稿押え装置を提供できる。
【発明を実施するための最良の形態】
【００３０】
以下、本発明を実施するための最良の形態について実施例を用いて説明する。
【実施例１】
【００３１】
図３は、画像システム１のブロック図である。この画像システム１は、複写機、プリンタ、スキャン、ファックス及びその複合機を含んでいる。画像システム１は、画像読取装置２、複写機の画像処理装置３、画像出力装置４、プリンタコントローラ・画像処理装置５、ファックスユニット６から構成される。符号７はネットワークを示している。
【００３２】
まず、画像読取装置について説明する。図４は、画像読取装置２を説明するための図である。図２に示すように、画像読取装置２は、原稿１８を透明なプラテンガラス１４上に、原稿面がガラス方向になるようにおき、原稿１８がプラテンガラス１４に対して浮かないように、原稿押え装置１５で原稿１８を押える。
【００３３】
また、原稿押え装置１５の替わりに、自動原稿送り装置を具備するものもあり、自動的に、かつ効率よく、画像入力することが出来るが、この装置では、ある程度のサイズが、原稿に必用になったり、写真のようの高画質、表面を、傷つけてはいけない原稿には、使用が困難である。
【００３４】
プラテンガラス１４に置かれた原稿１８は、電源２１からの電源に基づき光源２２によって照明され、ミラー２３及びレンズ２４などの光学系を経由して、ＣＣＤ（Ｃｈａｒｇｅ  Ｃｏｕｐｌｅｄ  Ｄｅｖｉｃｅ）センサー２５などにより、撮像・スキャンされ、電気信号へ変換され、画像処理装置３へ出力される。
【００３５】
次に、複写機における画像処理装置３について説明する。図５は、複写機における画像処理を説明するための図である。画像読取装置２により得られた電気信号は、ディジタル画像処理のため、Ａ／Ｄ変換が施され、ＲＧＢ色空間の画像信号として、複写機画像処理装置３へ渡される。
【００３６】
複写機の画像処理装置３は、入力側色補正処理部３１、文字、写真分離処理部３２、ディジタルフィルタ処理部３３、出力側色補正処理部３４、γ補正部３５、スクリーン処理部３６を有する。入力側色補正処理部３１は、ＲＧＢ色空間の画像信号を均等色空間であるＬ＊ａ＊Ｂ＊に変換し、画像入力装置・デバイスに依存する色補正を行う。
【００３７】
文字、写真分離処理部３２は、補正後のＬ＊ａ＊Ｂ＊画像信号により、入力画像が面内で、文字であるか写真であるかを判定し、分離し、後も処理パラメータを切り替える。一般に、文字と判定されたところは、文字・線画で重要となるエッジ再現が良好になるように、処理し、また、写真と判定されたところは、写真・絵柄で重要になる階調性、粒状性が良好になるように、処理がほどこされる。
【００３８】
ディジタルフィルタ処理部３３は、空間周波数関連の再現を補正する。出力側色補正処理部３４は、画像出力装置４の特性を補正するために、Ｌ＊ａ＊Ｂ＊信号からマーキング部材の色空間であるＹＭＣＫに変化させる。ガンマ補正部３５はガンマ補正を行う。スクリーン処理部３６は、面積階調再現方式の場合、スクリーン処理を施し、画像出力装置４へ出力する。
【００３９】
なお、複写機の画像処理装置３は、画像読取装置２が複数の原稿を同時に読み取った際に、画像読取装置２が読み取った読み取り画像データに基づいて原稿毎に所定の画像処理を行うことができる。
【００４０】
次に、プリンタコントローラによる画像処理装置について説明する。図６は、プリンタコントローラが行う画像処置について説明するための図である。プリンタの場合、ページ記述言語（ＰＤＬ：Ｐａｇｅ  Ｄｅｓｃｒｉｐｔｉｏｎ  Ｌａｎｇｕａｇｅ）による中間ファイルが、ネットワーク７を介して、クライアントＰＣから送られる。一般的なディジタルカラーマルチファンクションの場合、クライアントＰＣ上のアプリケーションで作成された文書は、ＯＳ（Ｏｐｅｒａｔｉｎｇ  Ｓｙｓｔｅｍ）及びプリンタドライバーにより、ＰＤＬに変換され、ネットワーク７を経由して、プリンタコントローラ５に渡される。
【００４１】
プリンタコントローラ５は、ファイル処理部５１、色補正処理部５２、ガンマ補正部５３、スクリーン処理部５４を有する。ファイル処理部５１は、デコンポーザにより、ＰＤＬデータをレンダリング処理、リッピング処理をし、画像データにする。その際、クライアントＰＣにおけるアプリケーションにより、色空間がＲＧＢ信号とＹＭＣＫ信号の場合がある。
【００４２】
色補正処理部５２は、複写機画像処理装置３と同様に、画像出力装置４の特性を補正するために、Ｌ＊ａ＊Ｂ＊信号からマーキング部材の色空間であるＹＭＣＫ信号に変化させる。ガンマ補正部５３は、ガンマ補正を行う。スクリーン処理部５４は、面積階調再現方式の場合、スクリーン処理を行い、処理後の画像データを画像出力装置４へ出力する。
【００４３】
次に、画像出力装置４について説明する。なお、ここでは、画像出力装置４Ａとして、４サイクル方式の電子写真方式によるカラー印字装置を用いたものを例にとって説明する。図７は、４サイクル方式の画像出力装置を示す図である。
【００４４】
図７に示すように、画像出力装置４Ａは、スクリーン処理された画像信号を、レーザー駆動部４１にて、レーザー露光時間へと変調する。帯電部４２によりチャージアップされた感光体４３に、変調が施されたレーザーによる露光がおこなわれ、静電潜像が形成される。そして、現像部４４により、トナーによる像が感光体４３上に形成され、転写ロール４５上の用紙に転写される。
【００４５】
４サイクル方式の場合、上記プロセスを４回、感光体４３と転写ロール４５を回転させて行われ、最終色転写後、転写ロール４５から用紙が剥離され、定着器４６により画像定着される。部品点数が少ないため、低コストで設計が可能であるが、ＹＭＣＫ、４回転するため、高速印字には向いていない。
【００４６】
次に、画像出力装置４の他の例について説明する。図８は、タンデム方式の画像出力装置４Ｂについて説明するための図である。本方式は、レーザー駆動部４１Ｂ、帯電部４２Ｂ、感光体４３Ｂ、現像器４４Ｂ、４つ並べ、一度に画像を形成する方式である。
【００４７】
図８に示すように、画像出力装置４Ｂは、スクリーン処理された画像信号を、レーザー駆動部４１Ｂにて、レーザー露光時間へと変調する。帯電部４２Ｂによりチャージアップされた感光体４３Ｂに、変調が施されたレーザーによる露光がおこなわれ、静電潜像が形成される。そして、現像部４４Ｂにより、トナーによる像が感光体４３Ｂ上に形成され、転写ベルト４７上の用紙に転写される。転写ベルト４７から用紙が剥離され、定着器４６Ｂにより画像定着される。部品点数が多くなるが、高速印字には本タンデムが用いられる。
【００４８】
なお、画像出力装置４は、画像形成手段に相当し、画像処理装置３による処理後の画像データに基づいて所定の用紙上に画像を形成するものである。
【００４９】
上記画像システム１では、画像読取装置２により入力された画像信号を、画像処理装置３により分割し、さらに補正又は編集し、画像出力装置４により原稿と同じサイズ、又はユーザーの指定された用紙サイズで印字することができる。また、一枚の用紙に複数の原稿を印字することができる。
【００５０】
次に、上記図４で説明した画像読取装置２の詳細について説明する。図９は、画像読取装置２の斜視図を示している。画像読取装置２は、ケース１２、プラテンガラス１４、原稿押え装置１５、原稿ホルダ１６を備えている。
【００５１】
ケース１２内部には、図４で説明した電源２１等が内臓されている。プラテンガラス１４は、原稿を載置する透明なガラスであって、原稿読取面を形成する。原稿押え装置１５は、原稿読取面に載置された原稿を上方向から押えるものであり、図示しないヒンジによりケース１２に回転自在に取り付けられている。
【００５２】
原稿ホルダ１６は、複数の原稿を互いに重ならないように平面状に配置させるものである。また、この原稿ホルダ１６は、原稿押え装置１５に着脱自在に装着され、原稿読取時に、プラテンガラス１４と原稿押え装置１５との間に配置される。原稿ホルダ１６を原稿押え装置１５に取り付けた状態で、原稿押え装置１５を回転させることにより、原稿ホルダ１６をプラテンガラス１４に対して近接させたり、離隔させたりすることができる。また、ユーザーは、原稿１８を原稿ホルダ１６のポケット６２ａ〜６２ｈに収容する際に、原稿１８の表側を見ながら位置を調整することができる。
【００５３】
次に、原稿ホルダ１６について説明する。図１０は、原稿ホルダ１６の正面図である。図１０に示すように、原稿ホルダ１６は、ホルダベース部６１と、ホルダベース部６１の一面側に原稿１８を収容するための複数のポケット（原稿保持部）６２ａ〜６２ｈを有する。
【００５４】
このホルダベース部６１は、例えば透明のプラスチックシート、紙等の材料によって形成されている。ポケット６２ａ〜６２ｈは、例えば透明のフィルム等の材料により形成されており、ポケット６２ａ〜６２ｈに原稿１８を収容した状態で、外部から原稿１８を見ることができるようになっている。
【００５５】
図１０では、ホルダベース部６１に８つのポケット６２ａ〜６２ｈが設けられている例を示している。このポケット６２ａ〜６２ｈには、上部に開口部６３がそれぞれ形成されており、この開口部６３より原稿１８を入れたり出したりすることができるようになっている。なお、開口部を各ポケット６２ａ〜６２ｈの側部に設けて、横から原稿を収納できるようにしてもよい。
【００５６】
原稿ホルダ１６には、原稿の位置ずれを検出するために、線状の基準マーク６４が設けられている。この基準マーク６４により、隣接原稿との境界が明確になり、傾き量を認識しやすくなる。なお、原稿の位置ずれは目視で検出するようにしても良いし、画像処理装置３による画像処理によって検出するようにしてもよい。
【００５７】
第１実施例によれば、複数の原稿を互いに重ならないように平面状に配置させることができるので、複数の原稿を一度に読み取る場合であっても、原稿の位置ずれを防止することができる。また、原稿をポケットに収容するため、原稿に傷を付けることもない。また、写真などのサイズが小さな複数枚の原稿を短時間にコピー・スキャンすることができるので、マシン占有時間が大幅に短縮する。
【実施例２】
【００５８】
次に、第２実施例に係る画像読取装置について説明する。図１１は、第２実施例に係る画像読取装置について説明するための図であって、同図（ａ）は、原稿押え装置１１５に原稿ホルダ１６を装着した状態を示す図、同図（ｂ）は原稿押え装置１１５から原稿ホルダ１６を取り外した状態を示す図である。
【００５９】
図１１において、符号１０１は画像読取装置、１２はケース、１４はプラテンガラス、１１５は原稿押え装置、１６は原稿ホルダをそれぞれ示している。なお、上記実施形態と同一箇所には同一符号を用いるものとしてその説明を省略する。第２実施例では、原稿ホルダ１６をスライド方向Ｓ１にスライドさせることにより、原稿押え装置１１５から取り外すことができるようになっている。原稿押え装置１１５は、原稿ホルダ１６の一対の辺と係止する係止部１１７、１１８が上下に形成されている。
【００６０】
原稿ホルダ１６を取り外すときには、図１１（ａ）に示す原稿ホルダ１６の装着状態からスライド方向Ｓ１へ向けて原稿ホルダ１６をスライドさせると、原稿ホルダ１６の一対の辺が係止部１１７、１１８から外れて原稿ホルダ１６を取り外すことができる。
【００６１】
一方、原稿ホルダ１６を原稿押え装置１１５に装着するときには、図１１（ｂ）に示す状態から、原稿ホルダ１６の上下の一対の辺６５、６６を原稿押え装置１１５の係止部１１７、１１８に係わり合わせながら、スライド方向Ｓ１にスライドさせることにより、原稿ホルダ１６を原稿押え装置１１５に装着することができる。
【００６２】
なお、第２実施例では、原稿ホルダ１６をスライド方向Ｓ１、すなわち横方向にスライドさせることにより、原稿押え装置１１５から取り外すことができるようにしているため、係止部１１７、１１８を原稿押え装置１１５の上下の端部に形成するようにしているが、スライド方向を縦方向にする場合には、係止部１１７、１１８を原稿押え装置１１５の左右の端部に形成するようにすればよい。
【００６３】
第２実施例によれば、原稿ホルダを係止部１１７、１１８に係止させたり、外したりすることにより、原稿ホルダ１６を原稿押え装置１１５から着脱することができる。
【実施例３】
【００６４】
次に実施例３に係る画像読取装置について説明する。図１２（ａ）は第３実施例に係る画像読取装置２０１の斜視図、同図（ｂ）〜（ｄ）は原稿ホルダ２１６を原稿読取面側の第１領域から第１領域とは反対側の第２領域に移動させる際の動作を説明するための図である。
【００６５】
図１２において、符号２０１は画像読取装置、１２はケース、１４はプラテンガラス、２１５は原稿押え装置、２１６は原稿ホルダ、２１７は軸、１８は原稿、２１８は回転部材をそれぞれ示している。なお、上記実施例で説明した箇所については同一符号を付するものとしてその説明を省略する。
【００６６】
実施例３では、原稿読取面側にある原稿ホルダ２１６を原稿押え装置２１５の上部に設けられた回転部材２１８を介して、原稿読取面側の第１領域から第１領域とは反対側の第２領域に移動させることができるようにしたものである。
【００６７】
図１２に示すように、原稿押え装置２１５は、上部の所定の箇所に軸２１７を有する。また、原稿押え装置２１５は、軸２１７に回転自在に軸支されている回転部材２１８を有する。原稿ホルダ２１６は、回転部材２１８に取り付けられている。なお、この回転部材２１８が原稿ホルダ２１６を原稿読取面側の第１領域から第１領域とは反対側の第２領域に移動させる部材である。
【００６８】
次に、画像読取装置２０１の動作について説明する。原稿ホルダ２１６を図１２（ｂ）に示す位置から回転方向に回転させていくと、原稿ホルダ２１６は回転部材２１８を介して回転していき、同図（ｃ）に示す位置まで回転する。さらに、原稿ホルダ２１６を回転方向に回転させていくと、同図（ｄ）に示す位置で静止する。
【００６９】
このように、原稿ホルダ２１６を使用しない場合は、原稿ホルダ２１６を回転させて原稿押え装置２１５の上に格納するようにしたので、プラテンガラス１４上に一般原稿を置いて、原稿押え装置２１５を閉じることにより、通常の原稿の読み取りを行うことができる。
【００７０】
第３実施例によれば、回転部材２１８を設けるようにしたので、原稿ホルダ２１６を使用しない場合に、原稿ホルダ２１６を原稿押え装置２１５の上に格納することができる。
【実施例４】
【００７１】
次に、実施例４について説明する。図１３（ａ）は第４実施例に係る画像読取装置３０１の斜視図、同図（ｂ）〜（ｄ）は、同図（ｂ）〜（ｄ）は原稿ホルダ３１６を原稿読取面側の第１領域から第１領域とは反対側の第２領域に移動させる際の動作を説明するための図である。
【００７２】
図１３において、符号３０１は画像読取装置、１２はケース、１４はプラテンガラス、３１５は原稿押え装置、３１６は原稿ホルダ、３１７は軸、１８は原稿、３１８は回転部材をそれぞれ示している。なお、上記実施例で説明した箇所については同一符号を付するものとしてその説明を省略する。
【００７３】
実施例４では、原稿読取面側にある原稿ホルダ３１６を原稿押え装置３１５の上部に設けられた回転部材３１８を介して、原稿読取面側の第１領域から第１領域とは反対側の第２領域に移動させるようにしたものである。
【００７４】
図１３に示すように、原稿押え装置３１５は、側部の所定の箇所に軸３１７を有する。また、原稿押え装置３１５は、軸３１７に回転自在に軸支された回転部材３１８を有する。原稿ホルダ３１６は、回転部材３１８に取り付けられている。
【００７５】
次に、画像読取装置３０１の動作について説明する。原稿ホルダ３１６を、図１３（ｂ）に示す位置から回転方向に回転させていくと、原稿ホルダ３１６は回転部材３１８を介して回転していき、同図（ｃ）に示す位置まで回転する。さらに、原稿ホルダ３１６を回転方向に回転させていくと、同図（ｄ）に示す位置で静止する。
【００７６】
このように、原稿ホルダ３１６を使用しない場合、原稿ホルダ３１６を回転させて原稿押え装置３１５の上に格納するようにしたので、プラテンガラス１４上に一般原稿を置いて、原稿押え装置３１５を閉じることにより、一般原稿の読み取りを行うことができる。
【００７７】
第４実施例よれば、回転部材３１８を設けるようにしたので、原稿ホルダ３１６を使用しない場合に、原稿ホルダ３１６を原稿押え装置３１５の上に格納することができる。
【実施例５】
【００７８】
次に、第５実施例について説明する。図１４（ａ）は、第５実施例に係る画像読取装置４０１の斜視図、同図（ｂ）は画像読取装置４０１の側面図、同図（ｃ）は原稿押え装置４１５を所定の位置まで開いた状態を示す図である。
【００７９】
図１４において、符号４０１は画像読取装置、１２はケース、１４はプラテンガラス、４１５は原稿押え装置、２１６が原稿ホルダ、２１７は軸、２１８は回転部材、４１９は軸をそれぞれ示している。なお、上記実施例で説明した箇所については同一符号を付するものとしてその説明を省略する。
【００８０】
第５実施例では、原稿押え装置４１５を９０度から１８０度までの範囲で所定位置まで回転できるようにしたものである。原稿押え装置４１５は、軸４１９に回転自在に軸支されている。この原稿押え装置４１５は、プラテンガラス１４の原稿読取面に対して９０°〜１８０°の範囲で所定の位置まで回転させて停止させることができる。
【００８１】
次に、画像読取装置２０１の動作について説明する。閉じた状態の原稿押え装置４１５を、図１４（ｂ）に示すプラテンガラス１４に対して９０°の状態まで回転させる。次に、更に原稿押え装置４１５を回転させて、同図（ｃ）に示すように、プラテンガラス１４に対して９０°〜１８０°の範囲で所定位置まで回転させ、この位置で停止させる。これにより、ユーザーは、図１４（ｂ）に示す位置よりも原稿１８を入れ易い同図（ｃ）に示す位置で原稿ホルダ２１６のポケット２６２に原稿を収容することができる。
【００８２】
第５実施例によれば、原稿押え装置４１５は、原稿読取面に対して９０°〜１８０°の範囲の所定位置まで回転するので、ユーザーにとって作業しやすい状態で原稿を装着することができる。
【実施例６】
【００８３】
次に第６実施例について説明する。図１５は、第６実施例に係る画像読取装置５０１を説明するための図である。図１５において、符号５０１は画像読取装置、１２はケース、１４はプラテンガラス、５１５は原稿押え装置、５１６は原稿保持領域、５１７は静電気発生手段をそれぞれ示している。なお、上記実施例で説明した箇所については同一符号を付するものとしてその説明を省略する。
【００８４】
第６実施例では、原稿１８を静電気を用いて原稿押え装置５１５の原稿保持領域５１６に保持させるようにしたものである。
【００８５】
原稿保持領域５１６は、原稿押え装置５１５の一方の面に形成された領域であって、この原稿保持領域５１６に静電気を用いて原稿１８を保持させることができるようになっている。また、原稿保持領域５１６は、静電気を帯電させることができる材料によって形成されている。静電気発生手段５１７は、静電気を発生させて原稿保持領域５１６を帯電させるものであり、例えば所定のスイッチでオンオフ制御できる直流電源を備え、原稿保持領域５１６に接続されている。
【００８６】
所定のスイッチをオンすることにより、原稿保持領域５１６は直流電源を含む静電気発生手段５１７に接続されるので、原稿保持領域５１６に静電気を帯電させることができる。この状態で、原稿保持領域５１６に原稿を近づけることにより、原稿１８を保持させることができる。
【００８７】
第６実施例によれば、静電気発生手段５１７により原稿保持領域５１６に静電気を発生させるようにしたので、原稿の位置ずれを調整しながら、原稿１８を原稿保持領域５１６に保持させることができる。これにより、原稿の位置ずれを防止することができる。
【実施例７】
【００８８】
次に第７実施例について説明する。図１６（ａ）は、第７実施例に係る画像読取装置６０１の斜視図、同図（ｂ）は原稿読取装置６０１の原稿押え装置６１５の吸引機構を説明するための図である。
【００８９】
図１６において、符号６０１は画像読取装置、１２はケース、１４はプラテンガラスガラス、６１５は原稿押え装置、６１６は原稿保持領域、６１７は吸気孔、６１９は空気吸引機、６２０はパイプをそれぞれ示している。上記実施例で説明した箇所については同一符号を付するものとしてその説明を省略する。原稿押え装置６１５は、空気吸引により原稿を原稿保持領域６１６に保持することができる。
【００９０】
原稿保持領域６１６は、空気吸引により原稿１８を保持させる領域である。この原稿保持領域６１６には、多数の吸気孔６１７が形成されている。図１６（ａ）のＹ１の拡大図に示すように、原稿保持領域６１６には、多数の吸気孔６１７が形成されている。図１６（ｂ）に示すように、この吸気孔６１７は、原稿押え装置６１５内の空間６１８に貫通するように形成されている。また、この空間６１８には、空気吸引機６１９がパイプ６２０を介して接続されている。
【００９１】
空気吸引機６１９は、空気吸引手段に相当し、パイプ６２０を介して空間６１８内の空気を吸引するものである。この空気吸引機６１９は、例えば図示しない所定のスイッチを操作することにより、動作させることができる。
【００９２】
吸気吸引機６１９により空気吸気を行うと、吸気孔６１７から空気が吸引される。この時、原稿保持領域６１６に原稿１８を近づけることにより、原稿１８を原稿保持領域６１６の所定の位置に保持することができる。
【００９３】
第７実施例によれば、原稿保持領域６１６に設けられた吸気孔６１７から空気吸引機６１９により空気を吸引するようにしたので、原稿の位置ずれを調整しながら、原稿１８を原稿保持領域６１６に保持させることができる。これにより、原稿の位置ずれを防止することができる。
【００９４】
以上本発明の好ましい実施の形態について詳述したが、本発明は係る特定の実施形態に限定されるものではなく、特許請求の範囲に記載された本発明の要旨の範囲内において、種々の変形・変更が可能である。例えば、図１０では、線状の基準マーク６４を示しているが、本発明ではこれに限定されることなく位置ずれを検出することができるものであれば、基準マークは線状のものに限らず、いずれのものであってもよい。また、図１０に示す例では、基準マーク６４を原稿ホルダ１６に設けるようにしているが、基準マークを原稿押え装置に設けるようにしてもよい。
【図面の簡単な説明】
【００９５】
【図１】プラテンガラス上に原稿を並べる際の理想的な状態を示す図である。
【図２】プラテンガラス上に原稿を並べる際の実際の状態を示す図である。
【図３】画像システムのブロック図である。
【図４】画像読取装置を説明するための図である。
【図５】複写機における画像処理を説明するための図である。
【図６】プリンタコントローラが行う画像処置について説明するための図である。
【図７】４サイクル方式の画像出力装置を示す図である。
【図８】タンデム方式の画像出力装置について説明するための図である。
【図９】画像読取装置の斜視図を示している。
【図１０】原稿ホルダの正面図である。
【図１１】第２実施例に係る画像読取装置について説明するための図であって、（ａ）は、原稿押え装置に原稿ホルダを装着した状態を示す図、（ｂ）は原稿押え装置から原稿ホルダを取り外した状態を示す図である。
【図１２】（ａ）は第３実施例に係る画像読取装置の斜視図、（ｂ）〜（ｄ）は原稿ホルダを原稿読取面側の第１領域から第１領域とは反対側の第２領域に移動させる際の動作を説明するための図である。
【図１３】（ａ）は第４実施例に係る画像読取装置の斜視図、（ｂ）〜（ｄ）は、（ｂ）〜（ｄ）は原稿ホルダを原稿読取面側の第１領域から第１領域とは反対側の第２領域に移動させる際の動作を説明するための図である。
【図１４】（ａ）は、第５実施例に係る画像読取装置の斜視図、（ｂ）は画像読取装置の側面図、（ｃ）は原稿押え装置を所定の位置まで開いた状態を示す図である。
【図１５】第６実施例に係る画像読取装置を説明するための図である。
【図１６】（ａ）は、第７実施例に係る画像読取装置の斜視図、（ｂ）は原稿読取装置の原稿押え装置の吸引機構を説明するための図である。
【符号の説明】
【００９６】
１  画像システム
２、１０１、２０１、３０１、４０１、５０１、６０１  画像読取装置
３、５  画像処理装置
４  画像出力装置
１５、１１５、２１５、３１５、４１５、５１５、６１５  原稿押え装置
１６、２１６、３１６  原稿ホルダ
６１  ホルダベース部
６２  ポケット
２１８、３１８  回転部材
５１６、６１６  原稿保持領域
５１７  静電気発生手段
６１９  空気吸引機
【図１】
2005031465.tif 000003
【図２】
2005031465.tif 000004
【図３】
2005031465.tif 000005
【図４】
2005031465.tif 000006
【図５】
2005031465.tif 000007
【図６】
2005031465.tif 000008
【図７】
2005031465.tif 000009
【図８】
2005031465.tif 000010
【図９】
2005031465.tif 000011
【図１０】
2005031465.tif 000012
【図１１】
2005031465.tif 000013
【図１２】
2005031465.tif 000014
【図１３】
2005031465.tif 000015
【図１４】
2005031465.tif 000016
【図１５】
2005031465.tif 000017
【図１６】
2005031465.tif 000018